(57)【要約】【課題】  本発明は、長時間の体温を計測することができ、体温が急変した場合に見過ごすおそれを排除することができる体温測定システムを提供することを目的とする。【解決手段】  体温測定部位に温度センサ１２を当接させて被計測者の体温を検出し、体温データを無線送信する体温測定部１０と、体温測定部１０から無線送信される信号を受信して体温データを表示すると共に、体温データが所定の閾値を超えたとき警報手段４０より警報を発するデータログ部３０を有する。【選択図】  図１
2005077234.tif 000002
【特許請求の範囲】
【請求項１】
体温測定部位に温度センサを当接させて被計測者の体温を検出し、体温データを無線送信する体温測定部と、
前記体温測定部から無線送信される信号を受信して体温データを表示すると共に、前記体温データが所定の閾値を超えたとき警報手段より警報を発するデータログ部を
有することを特徴とする体温測定システム。
【請求項２】
請求項１記載の体温測定システムにおいて、
前記体温測定部は、フレキシブル基板上に配置固定されシート状に形成されたことを特徴とする体温測定システム。
【請求項３】
請求項１記載の体温測定システムにおいて、
前記体温測定部は、所定時間毎に前記体温データを無線送信することを特徴とする体温測定システム。
【請求項４】
請求項１乃至３のいずれか記載の体温測定システムにおいて、
前記体温データの無線送信は、ブルートゥース規格を用いて行われることを特徴とする体温測定システム。
【発明の詳細な説明】
【技術分野】
【０００１】
本発明は体温測定システムに関し、特に、長時間の体温を計測する体温測定システムに関する。
【背景技術】
【０００２】
従来から、サーミスタ等の感温素子を用いて体温を測定し、測定した体温を液晶等の表示部に表示する一体型の電子体温計がある。
【０００３】
また、例えば、特許文献１には、被計測者の耳に装着され被計測者の体温を赤外線センサで計測して無線デバイスにより接続端末に送信し、接続端末では体温データを表示すると共にメモリに格納し、その後、接続端末のメモリから体温データを読み出しネットワークを介してサーバに送信する体温測定システムが記載されている。
【特許文献１】特開２００１−３５３１５７号公報
【発明の開示】
【発明が解決しようとする課題】
【０００４】
従来の電子体温計は、測定結果を表示する表示部が電子体温計本体に一体化されているために、例えば寝ている小児の体温を計測するような場合、電子体温計を体温測定部位である脇の下に固定させなければならないような状況では使用が困難であり、また、例えば就寝中の長時間の体温を計測するような場合、電子体温計を体温測定部位に固定できないため不向きであるという問題があった。
【０００５】
また、従来の体温測定システムは大がかりなものになり、被計測者の耳に装着されるため寝返りをした場合に危険を伴う。また、就寝中の長時間の体温を計測することは可能であっても、計測中に体温が急変した場合に、これを見過ごしてしまうおそれがあるといった問題がある。
【０００６】
本発明は、上記の点に鑑みなされたもので、長時間の体温を計測することができ、体温が急変した場合に見過ごすおそれを排除することができる体温測定システムを提供することを目的とする。
【課題を解決するための手段】
【０００７】
請求項１に記載の発明は、体温測定部位に温度センサ（１２）を当接させて被計測者の体温を検出し、体温データを無線送信する体温測定部（１０）と、
前記体温測定部（１０）から無線送信される信号を受信して体温データを表示すると共に、前記体温データが所定の閾値を超えたとき警報手段（４０）より警報を発するデータログ部（３０）を有することにより、
長時間継続して体温を計測することができ、体温が急変した場合に見過ごすおそれを排除することができる。
【０００８】
請求項２に記載の発明では、体温測定部（１０）は、フレキシブル基板上に配置固定されシート状に形成されたことにより、
長時間継続して体温測定部位に温度センサ（１２）を当接させて、体温を計測することができる。
【０００９】
請求項３に記載の発明では、体温測定部（１０）は、所定時間毎に前記体温データを無線送信することにより、
間欠動作を行って消費電力を低減することができる。
【００１０】
請求項４に記載の発明では、体温データの無線送信は、ブルートゥース規格を用いて行われることにより、
ブルートゥースモジュールを搭載した一般のパーソナルコンピュータをデータログ部（３０）として使用できる。
【００１１】
なお、上記括弧内の参照符号は、理解を容易にするために付したものであり、一例にすぎず、図示の態様に限定されるものではない。
【発明の効果】
【００１２】
請求項１に記載の発明によれば、長時間継続して体温を計測することができ、体温が急変した場合に見過ごすおそれを排除することができる。
【００１３】
請求項２に記載の発明によれば、長時間継続して体温測定部位に温度センサを当接させて、体温を計測することができる。
【００１４】
請求項３に記載の発明によれば、間欠動作を行って消費電力を低減することができる。
【００１５】
請求項４に記載の発明によれば、ブルートゥースモジュールを搭載した一般のパーソナルコンピュータをデータログ部として使用できる。
【発明を実施するための最良の形態】
【００１６】
図１は、本発明体温測定システムの体温測定部の一実施形態の構成図を示す。同図中、体温測定部１０は、温度センサ１２、マイクロプロセッサ１４、ブルートゥースモジュール１６、アンテナ２０、バッテリー２２及び電源スイッチ２４からなり、温度センサ１２、マイクロプロセッサ１４、ブルートゥースモジュール１６それぞれはバス１８で相互接続されている。温度センサ１２、マイクロプロセッサ１４、ブルートゥースモジュール１６、アンテナ２０、バッテリー２２及び電源スイッチ２４はフレキシブル基板上に配置固定されて、体温測定部１０は全体としてシート状に形成されている。
【００１７】
電源スイッチ２４のオン／オフによりバッテリー２２から温度センサ１２、マイクロプロセッサ１４、ブルートゥースモジュール１６それぞれに電源が投入／遮断される。上記電源投入により、温度センサ１２はサーミスタ等の感温素子を用いて被計測者の体温を検出してマイクロプロセッサ１４に供給する。
【００１８】
マイクロプロセッサ１４は、例えば数分から１０数分程度の所定時間毎に温度センサ１２の検出体温をデジタル化して取り込み、この体温データをブルートゥース規格で規定されるデータ形式に載せてブルートゥースモジュール１６に供給する。ブルートゥースモジュール１６は、上記体温データをブルートゥース規格で規定される周波数ホッピング型スペクトラム拡散方式を用いたＧＦＳＫ（ガウシアンフィルタ付き周波数変復調）変調処理を行って送信信号をアンテナ２０から送信する。このように、温度センサ１２及びブルートゥースモジュール１６は所定時間毎に間欠的に動作するため電力消費を低減できる。
【００１９】
図２は、本発明体温測定システムのデータログ部の一実施形態の構成図を示す。同図中、データログ部３０は、アンテナ３２、ブルートゥースモジュール３４、マイクロプロセッサ３６、表示部３８、警報部４０、入出力インタフェース４２、電源回路４４及び電源スイッチ４６からなり、ブルートゥースモジュール３４、マイクロプロセッサ３６、表示部３８、警報部４０、入出力インタフェース４２それぞれはバス４８で相互接続されている。
【００２０】
電源スイッチ４６のオン／オフにより電源回路４４からブルートゥースモジュール３４、マイクロプロセッサ３６、表示部３８、警報部４０、入出力インタフェース４２それぞれに電源が投入／遮断される。上記電源投入により、ブルートゥースモジュール３４は、アンテナ３２で受信した体温測定部１０からの信号を周波数ホッピング型スペクトラム拡散方式のＧＦＳＫ復調を行い、復調された体温データをマイクロプロセッサ３６に供給する。
【００２１】
マイクロプロセッサ３６は時系列的に受信される体温データを内蔵メモリに格納すると共に、最新の体温データを表示部３８に表示する。また、マイクロプロセッサ３６は最新の体温データを予め設定されている例えば３９℃等に対応する閾値データと比較して、体温データが閾値データを超えたとき警報部４０を起動し、警報部４０より警報音やＬＥＤ点滅等による警報を発生させる。
【００２２】
また、マイクロプロセッサ３６は時計機能を有しており、体温データを内蔵メモリに格納するとき時刻データを体温データと共に格納する。そして、データログ部３０の入出力インタフェース４２に例えばコンピュータからＵＳＢ（Ｕｎｉｖｅｒｓａｌ  Ｓｅｒｉａｌ  Ｂｕｓ）等の接続ケーブルを接続して、パーソナルコンピュータからマイクロプロセッサ３６に転送コマンドを供給することにより、マイクロプロセッサ３６の内蔵メモリに格納されている体温データをパーソナルコンピュータに転送して、パーソナルコンピュータで体温データを時刻データと共に管理することができる。
【００２３】
図３は、体温測定部１０の一実施形態の装着状態を示す。フレキシブルなシート状の体温測定部１０は、ゴム入布製のショルダー・サポータ５０に温度センサ１２が脇の下の体温測定部位に当接する位置となるように保持定着されている。被計測者６０は図示のように、ショルダー・サポータ５０を肩に装着して、温度センサ１２を脇の下の体温測定部位に当接させて使用する。
【００２４】
なお、フレキシブルなシート状の体温測定部１０は、ショルダー・サポータ５０の代りに粘着テープ等を用いて温度センサ１２を脇の下の体温測定部位に当接させる構成としても良い。
【００２５】
このように、体温測定部位に温度センサ１２を当接させて被計測者の体温を検出し、体温測定部１０から体温データを無線送信し、この信号をデータログ部３０で受信して体温データを表示部３８に表示すると共に、体温データが所定の閾値を超えたとき警報手段４０より警報を発することにより、長時間継続して体温を計測することができ、体温が急変した場合に見過ごすおそれを排除することができ、また、体温測定部１０はフレキシブル基板上に配置固定されシート状に形成されたことにより、長時間継続して体温測定部位に温度センサ１２を当接させて、体温を計測することができる。
【００２６】
また、体温測定部１０の無線伝送規格を汎用的なブルートゥース規格とすることで、データログ部３０として特別な装置を用いなくとも、ブルートゥースモジュールを搭載した一般のパーソナルコンピュータ等をデータログ部３０として用いることも可能である。
【００２７】
なお、体温の他に、脈拍や血圧等のデータを測定しても良く、上記実施例に限定されない。
【図面の簡単な説明】
【００２８】
【図１】本発明体温測定システムの体温測定部の一実施形態の構成図である。
【図２】本発明体温測定システムのデータログ部の一実施形態の構成図である。
【図３】体温測定部の一実施形態の装着状態を示す図である。
【符号の説明】
【００２９】
１０  体温測定部
１２  温度センサ
１４  マイクロプロセッサ
１６，３４  ブルートゥースモジュール
２０  アンテナ
２２  バッテリー
２４  電源スイッチ
３０  データログ部
３２  アンテナ
３６  マイクロプロセッサ
３８  表示部
４０  警報部
４２  入出力インタフェース
４４  電源回路
４６  電源スイッチ
５０  ショルダー・サポータ
【図１】
2005077234.tif 000003
【図２】
2005077234.tif 000004
【図３】
2005077234.tif 000005